(57)【要約】【課題】コピーガード信号期間に存在するパルス幅が短い疑似水平同期信号に基づくクランプパルスを用いてクランプを行うとクランプを正しく行うことができなかった。【解決手段】白から黒までの振幅を有し疑似水平同期信号を有するコピーガード信号、輝度信号及び同期信号を含む複合映像信号をクランプするクランプ回路３と、該クランプ回路でクランプされた前記複合映像信号から同期信号を分離する同期分離回路５と、該同期分離回路からの同期信号が水平同期信号の周期で到来しているか否かを判別し、水平同期信号の周期でない短い周期の信号を遮断して水平同期信号周期の信号のみを通過させる同期信号判別回路６とを備える。【選択図】図１
2004200900.tif 000002
【特許請求の範囲】
【請求項１】
疑似水平同期信号を有するコピーガード信号、輝度信号及び同期信号を含む複合映像信号をクランプするクランプ回路と、
該クランプ回路でクランプされた前記複合映像信号から同期信号を分離する同期分離回路と、
該同期分離回路からの同期信号が水平同期信号の周期で到来しているか否かを判別し、水平同期信号の周期でない短い周期の信号を遮断して水平同期信号周期の信号のみを通過させる同期信号判別回路とを備え、該同期信号判別回路の出力信号を同期分離された同期信号として用いることを特徴とする映像信号処理回路。
【請求項２】
前記同期信号判別回路は、前記同期分離回路からの同期信号に応じてコンデンサの充電を行う充電回路と、前記コンデンサの放電を行う放電回路と、前記コンデンサの充電電圧と基準電圧とのレベル比較を行うコンパレータとを備えることを特徴とする請求項１記載の映像信号処理回路。
【請求項３】
前記クランプ回路は、クランプパルスに応じて映像信号の直流レベルを基準レベルに揃えるキードクランプ回路であることを特徴とする請求項１記載の映像信号処理回路。
【請求項４】
前記同期信号判別回路の出力信号に応じて前記クランプ回路のクランプパルスを発生するクランプパルス作成回路を備えることを特徴とする請求項３記載の映像信号処理回路。
【請求項５】
前記クランプ回路でクランプされた前記複合映像信号の振幅を調整するＡＧＣ回路と、前記同期信号判別回路の出力信号に応じて前記ＡＧＣ回路用のストレッチシンクパルスを発生するストレッチシンクパルス作成回路と、前記複合映像信号と前記ストレッチシンクパルスに応じてＡＧＣ検波を行ない前記ＡＧＣ回路の利得を調整するＡＧＣ検波回路とを備えることを特徴とする請求項１記載の映像信号処理回路。
【請求項６】
前記クランプ回路の出力信号が印加され、その出力信号を前記同期分離回路に印加するＬＰＦを備えることを特徴とする請求項１記載の映像信号処理回路。
【発明の詳細な説明】
【０００１】
【発明の属する技術分野】
本発明は、映像信号にクランプ及びＡＧＣ（自動利得制御）を施す映像信号処理回路に関するもので、特に白から黒までの振幅を有し疑似水平同期信号を有するコピーガード信号を含んだ映像信号に対して好適な映像信号処理回路に関する。
【０００２】
【従来の技術】
家庭用のＶＴＲはビデオテープを使用している。このビデオテープは、映像ソフトが録画されて市販されている。その映像ソフトのコピーを防止する目的で記録される映像信号にコピーガード信号を含ませる場合がある。
【０００３】
図２は、そのようなコピーガード信号を含んだ映像信号の波形を示す。図２は、白から黒までの振幅を有し疑似水平同期信号を有するコピーガード信号、垂直同期信号、水平同期信号、等価パルスなどを含む複合映像信号である。ビデオテープから再生された映像信号は、さまざまな信号処理が行われる。
【０００４】
そのような信号処理の前にはクランプ回路により同期信号の先端レベルを揃え、直流レベルを一定にする必要がある。また、映像信号のレベルを揃えるためにＡＧＣを映像信号に対して施す。前記クランプ回路は、水平同期信号の先端レベルをクランプする。そのため、水平同期信号パルスよりもパルス幅が少し短いクランプパルスと呼ばれるパルスが必要となる。
【０００５】
又、ＡＧＣ回路は、水平同期信号のバックポーチと呼ばれる部分の直流レベルを検出する。そのため、水平同期信号パルスよりもパルス幅が後ろに少し長いストレッチシンクパルスと呼ばれるパルスが必要となる。
【０００６】
図３（ａ）は、図２の映像信号のコピーガード信号部分の波形を拡大したものである。図３（ａ）は、正常な水平同期信号の周期の中にコピーガード信号が含まれていることを示している。水平同期信号の周期は、図示するように１Ｈである。コピーガード信号は、水平同期信号に比べて周期が短い疑似水平同期信号とＡＧＣパルスを備え、その周期の数は規格によって様々であるが、例えば４周期を有する。疑似水平同期信号のパルス幅は、水平同期信号のそれの半分以下である。また、ＡＧＣパルスは、白から黒までの振幅を有する。
【０００７】
図３（ａ）の信号は、図３（ａ）に点線で示すスライスレベルでスライスされて水平同期信号部分が図３（ｂ）のｂ−１のように分離される。この図３（ｂ）のパルスに基づいて図３（ｃ）のクランプパルスが作られる。図３（ｃ）のクランプパルスを用いれば、図３（ａ）の水平同期信号の先端レベルを知ることができる。
【０００８】
又、図３（ｂ）のパルスに基づいて図３（ｄ）のストレッチシンクパルスが作られる。図３（ｄ）のストレッチシンクパルスを用いれば、図３（ａ）のバックポーチ部分のレベルを知ることができる。
【０００９】
従って、図３に示すようなパルスを作成すれば、ビデオテープから再生された映像信号に対してクランプできるとともにＡＧＣを施すことが可能である。
【００１０】
【発明が解決しようとする課題】
しかしながら、図３（ｃ）のクランプパルスと、図３（ｄ）のストレッチシンクパルスを用いると、コピーガード信号期間では問題が起こった。コピーガード信号期間に存在するパルス幅が短い疑似水平同期信号は、正常な水平同期信号と同様に同期分離される。この疑似水平同期信号に基づくクランプパルスを用いてクランプを行うとクランプを正しく行うことができなかった。
【００１１】
それは、図３（ｂ）の信号はＬＰＦを通過するため位相が図３（ａ）の信号に対して右側に少しずれてしまうためである。そうすると、コピーガード信号期間では疑似水平同期信号の直後にＡＧＣパルスがくるため、誤ってＡＧＣパルスの先端（白信号）をレベル検波してしまう。そこで、従来では図３（ｅ）に示すようなマスクパルスを用いてコピーガード信号によって作られるクランプパルスを遮断していた。
【００１２】
しかしながら、コピーガード信号の規格はたびたび変更されるため、変更があるたびにマスクパルスのタイミングも変えなければならなかった。また、規格外のコピーガード信号も存在していた。
【００１３】
更に、マスクパルスを使うとコピーガード信号が存在する期間は、正常な水平同期信号にもクランプが行われなくなってしまう。コピーガード信号期間は、輝度信号の大きさが絶えず変化するので、直流レベルの変化が大きい。このような信号が、十分な大きさを持たない直流阻止コンデンサを通過すると、Ｖサグと呼ばれる映像信号の平均直流レベルが変動してしまう現象が起こる。キードクランプは、このＶサグを吸収できるが、コピーガード信号期間にクランプパルスを止めると、Ｖサグの吸収ができなくなる。
【００１４】
また、ＤＶＤレコーダ等のデジタル映像機器において、アナログ信号をＡＧＣ抑圧させたくない時でも、ＡＧＣ抑圧されてしまう。そのため、コピーガード信号が存在する期間でも水平同期信号は通過させ、疑似水平同期信号は遮断できるものが望まれた。
【００１５】
【課題を解決するための手段】
本発明は上述の点に鑑みなされたもので、疑似水平同期信号を有するコピーガード信号、輝度信号及び同期信号を含む複合映像信号をクランプするクランプ回路と、該クランプ回路でクランプされた前記複合映像信号から同期信号を分離する同期分離回路と、該同期分離回路からの同期信号が水平同期信号の周期で到来しているか否かを判別し、水平同期信号の周期でない短い周期の信号を遮断して水平同期信号周期の信号のみを通過させる同期信号判別回路とを備え、該同期信号判別回路の出力信号を同期分離された同期信号として用いることを特徴とする。
【００１６】
【発明の実施の形態】
次に、本発明の実施の形態について図１を参照しながら説明する。図１の１は白から黒までの振幅を有し疑似水平同期信号を有するコピーガード信号、輝度信号及び同期信号を含む複合映像信号が印加される入力端子、２はクランプ用のコンデンサ、３は前記複合映像信号をキードクランプするキードクランプ回路、４はクランプされた前記複合映像信号のノイズ成分を除くＬＰＦである。
【００１７】
５はＬＰＦ４からの複合映像信号から同期信号を分離する同期分離回路、６は同期分離回路５からの同期信号が水平同期信号の周期で到来しているか否かを判別し、水平同期信号の周期でない短い周期の信号を遮断して水平同期信号周期の信号のみを通過させる同期信号判別回路、７は前記同期信号判別回路６の出力信号に応じて前記キードクランプ回路３のクランプパルスを発生するクランプパルス作成回路、８は前記キードクランプ回路３でクランプされた前記複合映像信号の振幅を調整するＡＧＣ回路である。
【００１８】
９は前記同期信号判別回路６の出力信号に応じて前記ＡＧＣ回路８用のストレッチシンクパルスを発生するストレッチシンクパルス作成回路、１０は複合映像信号と前記ストレッチシンクパルスに応じてＡＧＣ検波を行ない前記ＡＧＣ回路８の利得を調整するＡＧＣ検波回路である。
【００１９】
次に、図４を参照しながら図１の動作を説明する。入力端子１からの複合映像信号は、クランプ用のコンデンサ２と、キードクランプ回路３によりクランプされる。クランプされて同期信号の先端が揃った複合映像信号は、ＬＰＦ４、ＡＧＣ回路８及びＡＧＣ検波回路１０に印加される。
【００２０】
図４（ａ）は、ＬＰＦ４を通過した複合映像信号を示す。図４（ａ）の複合映像信号は、同期分離回路５で同期分離され図４（ｂ）のようになる。図４（ｂ）のパルスは、Ｈレベルで同期信号判別回路６内のスイッチ１１を閉じ、Ｌレベルでスイッチ１１を開く。同期信号判別回路６の定電流源１２の電流値は大なる値に設定されている。同期信号判別回路６の定電流源１３の電流値は小なる値に設定されている。
【００２１】
いま図４の時刻ｔ１であり、スイッチ１１が閉じると、定電流源１２の電流でコンデンサ１４は、図４（ｃ）に示すように急速充電される。この動作はいわゆるピーク検波と同じ程度である。図４（ｂ）のパルスがＨレベルである間、コンデンサ１４の出力電圧は高くなる。そして、図４（ｂ）のパルスがＬレベルになるとスイッチ１１が開き、コンデンサ１４は、定電流源１３の電流値で徐々に放電される。従って、図４（ｃ）の波形は徐々に低下していく。そこで、同期信号判別回路６内のコンパレータ１５の基準電圧源１６のレベルを図４（ｃ）の点線のレベルに設定する。そうすれば、図４（ｄ）のパルスｄ−１がコンパレータ１５の出力端に得られる。
【００２２】
次にいま図４の時刻ｔ２であるとする。すると、同期信号判別回路６は、時刻ｔ１と時と同じ動作を行い図４（ｄ）のｄ−２のパルスが立ち上がる。しかし、時刻ｔ２の水平同期信号に続くパルスは、疑似水平同期信号である。疑似水平同期信号は、前記水平同期信号の終了後、直ちに発生するのでスイッチ１１をすぐに閉じてしまう。スイッチ１１が閉じると、コンデンサ１４は、図４（ｃ）に示すように再度、急速充電される。疑似水平同期信号が終了すると、コンデンサ１４の放電がおこるがすぐにつぎの疑似水平同期信号が到来する。同期信号判別回路６は、この動作を疑似水平同期信号の数だけ繰り返す。そのため、コンデンサ１４の電圧は低下することなく、コンパレータ１５の基準電圧源１６のレベルより高い値を保つ。
【００２３】
したがって、同期信号判別回路６の出力信号は、図４（ｄ）のようになる。図４（ｄ）のパルスの立ち上がりを着目すると、立ち上がりタイミングは水平同期信号タイミングのみとなる。それゆえ、同期信号判別回路６は、同期分離回路５からの同期信号が水平同期信号の周期で到来しているか否かを判別し、水平同期信号の周期でない短い周期の信号を遮断して水平同期信号周期の信号のみを通過させていることが明らかである。従って、同期信号判別回路６はクランプパルスを作成するのに適した同期信号を分離できる。
【００２４】
クランプパルス作成回路７とストレッチシンクパルス作成回路９は、図４（ｄ）のパルスの立ち上がりに応じて一定幅のパルスを発生する。クランプパルス作成回路７とストレッチシンクパルス作成回路９は、例えば単安定マルチバイブレータで構成される。クランプパルス作成回路７は、図４（ｅ）のクランプパルスを作成する。ストレッチシンクパルス作成回路９は、図４（ｆ）のストレッチシンクパルスを作成する。図４（ｅ）のクランプパルスは、キードクランプ回路３に加わる。
【００２５】
また、図４（ｆ）のストレッチシンクパルスは、ＡＧＣ検波回路１０に加わる。図４（ｅ）のクランプパルスは、図４（ｂ）と図４（ｅ）の比較から明らかなように水平同期信号周期のパルスのみが抽出できている。また、ストレッチシンクパルスも同様である。このため、疑似水平同期信号によりクランプ回路が誤った動作をすることがなく、ＡＧＣ抑圧もされない。また、従来のようにマスクパルスを使う必要がない。そのため、コピーガード信号の規格が変更されても問題がない。
【００２６】
ＡＧＣ検波回路１０は、図４（ｆ）のストレッチシンクパルスに基づき水平同期信号のバックポーチ部分のレベルを検波する。その検波出力によりＡＧＣ回路８の利得を調整すれば、一定の振幅の複合ビデオ信号が端子１７に得られる。
【００２７】
次に、図５は、キードクランプ回路３の具体回路例でありその動作を簡単に説明する。図５において、図１と同一のものは同一の符号を記す。キードクランプ回路３は、クランプパルスの到来期間に基準レベルと水平同期信号の先端レベルを一致させ、水平同期信号の先端の直流レベルを揃えるものである。
【００２８】
入力端子１には複合映像信号が、端子２０にはクランプパルスが、出力端子２１にはクランプされた複合映像信号が得られる。図５の回路によれば、コンパレータ２２に接続された基準電源２３の値Ｖｒｅｆと水平同期信号の先端の直流レベルが等しくなる。定電流源２４の電流値は２Ｉに、定電流源２５の電流値はＩに設定される。
【００２９】
入力端子１からの複合映像信号は、クランプ用のコンデンサ２によりある直流電位に再生されてからバッファ２６を介して出力端子２１に導出される。出力端子２１の複合映像信号は、コンパレータ２２の基準電源２３の値Ｖｒｅｆとレベル比較される。
【００３０】
いま、水平同期信号の先端の直流レベルがＶｒｅｆより小さいとすると、コンパレータ２２の出力信号はＨレベルとなる。一方、端子２０からはクランプ期間にＨレベルとなるクランプパルスが到来する。スイッチ２７，２８はＨレベルで閉じる。アンドゲート２９の出力はＨレベルとなるので、スイッチ２７，２８はともに閉じる。
【００３１】
すると、電流Ｉが定電流源２４から入力端子１に流れ、コンデンサ２が充電される。コンデンサ２が図示の極性で充電されると、バッファ２６の出力直流レベルは上がる。この上昇が続き水平同期信号の先端の直流レベルがＶｒｅｆより大きくなると、コンパレータ２２の出力信号はＬレベルとなる。すると、次のクランプパルスではアンドゲート２９の出力はＬレベルとなるので、スイッチ２７は開き、スイッチ２８は閉じる。
【００３２】
すると、電流Ｉがコンデンサ２からグランドに流れコンデンサ２が放電される。すると、バッファ２６の出力直流レベルは今度は下がる。この動作が繰り返され、クランプパルス期間、出力端子２１の水平同期信号の先端の直流レベルがＶｒｅｆに固定される。その結果、水平同期信号以外の期間の映像信号も補正された直流に重畳されて出力端子２１に発生する。
【００３３】
従って、図５の回路によればキードクランプを行うことができる。
【００３４】
【発明の効果】
本発明の映像信号処理回路によれば、コピーガード信号を含む複合映像信号から水平周期の同期信号のみを同期分離することができる。本発明の映像信号処理回路によれば、コピーガード信号を含む映像信号に対してクランプを正しく行うことができ、抑圧されないＡＧＣ動作を行うことができる。
【００３５】
また、本発明の映像信号処理回路によれば、マスクパルスを使わずにクランプを行えるので、コピーガード信号の規格が変ってもクランプを行える。
【００３６】
また、本発明の映像信号処理回路によれば、コピーガード信号が存在する期間でも水平同期信号は通過させ、疑似水平同期信号は遮断できるのでＶサグが起こらない。
【図面の簡単な説明】
【図１】本発明の実施形態に係る映像信号処理回路のブロック図である。
【図２】複合映像信号の波形図である。
【図３】従来の映像信号処理の説明に供するための波形図である。
【図４】本発明の映像信号処理の説明に供するための波形図である。
【図５】本発明のキードクランプ回路３の具体回路図である。
【符号の説明】
１    入力端子    ２  クランプ用のコンデンサ    ３  キードクランプ回路、
４  ＬＰＦ    ５  同期分離回路    ６  同期信号判別回路
７  クランプパルス作成回路    ８  ＡＧＣ回路    ９  ストレッチシンクパルス作成回路
【図１】
2004200900.tif 000003
【図２】
2004200900.tif 000004
【図３】
2004200900.tif 000005
【図４】
2004200900.tif 000006
【図５】
2004200900.tif 000007